(57)【要約】      （修正有）【課題】角度を調節できる自撮り光補充ライトを提供する。【解決手段】角度を調節できる自撮り光補充ライトは、円台座２０を含み、円台座２０の中には円溝２２が設置され、円溝２２の中には粗調整機構７０が設置され、粗調整機構７０は円台座２０を連動させて回転させることができる粗調整プルリング３５を含み、粗調整機構７０はまた微調整ギヤ２５を含み、粗調整機構７０の下側には微調整機構７１が設置され、ライトの角度を調節する時に大幅な調節と小幅な調節という二つの効能を有する。本装置は、直接各種の写真を撮る設備に装着することができ、体積が小さく、携帯が便利であって、各種の環境に対応できる。【選択図】図１
2020177900.tif 000002
【特許請求の範囲】
【請求項１】
正面視で、円台座を含み、前記円台座の中には円溝が設置され、前記円溝の中には粗調整機構が設置され、前記粗調整機構は前記円台座を連動させて回転させることができる粗調整プルリングを含み、前記粗調整機構はまた微調整ギヤを含み、前記粗調整機構の下側には微調整機構が設置され、前記微調整機構は微調整プルリングとセクタギヤとを含み、前記微調整プルリングが引き動かされる時に前記セクタギヤを連動させて回転させることができ、これにより前記セクタギヤが前記微調整ギヤと噛み合うまで回転し、これにより前記微調整ギヤを連動させて回転させ、前記微調整機構はまたラチェットギヤを含み、前記微調整機構の右側にはライトのスイッチ機構が設置され、前記ライトのスイッチ機構は弾性ブロックと、バッテリパックと、ライト板とを含み、前記バッテリパックが前記ライト板を発光させることができ、前記弾性ブロックは前記ラチェットギヤが片方向へ回転する時だけ連動されることができ、前記ライトのスイッチ機構はまた弾性スペーサーと、絶縁ブロックと、金属ブロックとを含み、前記弾性スペーサーと前記絶縁ブロックとの間が絶縁であり、前記金属ブロックと前記弾性スペーサーとの間は電気を伝導でき、前記弾性スペーサーは圧縮状態にあることを特徴とする角度を調節できる自撮り光補充ライト。
【請求項２】
前記粗調整機構は支持ブロックを含み、前記円台座の下側には底板が設置され、前記底板の下端面には二つの挟み取りブロックが左右対称的に固定され、前記底板の上端面には二つの支持ブロックが左右対称的に固定され、前記支持ブロックの中には回転溝が設置され、二つの前記回転溝の端壁の間には一つの回転軸が回転できるように連結され、前記回転軸と前記回転溝との間には回転ばねが設置され、外部空間の中の前記回転軸には円台座が固定され、前記円台座の中には円溝が設置され、前記円溝の下端壁の中には前記円溝と外部空間とを連通している引きひも溝が設置され、前記円溝の中の前記回転軸には大リールが固定され、前記大リールには下端が外部空間に位置している粗糸が巻きついており、外部空間の中の前記粗糸の下端には三つの粗調整プルリングが均一的に固定され、前記大リールの右側には前記回転軸と固定された微調整ギヤが設置されていることを特徴とする請求項１に記載の角度を調節できる自撮り光補充ライト。
【請求項３】
前記微調整機構は小リールを含み、前記円溝の中の前記回転軸の下側には前記円溝の後端壁と固定された定位ブロックが設置され、前記定位ブロックの中には引っ張り力溝が設置され、前記引っ張り力溝の左端壁には右端が前記引っ張り力溝の右端壁を貫通している引っ張り力軸が回転できるように連結され、前記引っ張り力軸と前記引っ張り力溝との間には引っ張り力ばねが設置され、前記円溝の中の前記引っ張り力軸には小リールが固定され、前記小リールには細ひもが巻きついており、前記引きひも溝の右端壁の中には前記円溝と外部空間とを連通している鉛直溝が設置され、前記細ひもの下端が前記鉛直溝を貫通しており、且つ外部空間に位置しており、前記細ひもの下端には三つの微調整プルリングが均一的に固定され、前記小リールの右側には前記引っ張り力軸と固定された前記セクタギヤが設置され、前記引っ張り力軸の右端には前記ラチェットギヤが固定されていることを特徴とする請求項１に記載の角度を調節できる自撮り光補充ライト。
【請求項４】
前記ライトのスイッチ機構が弾性ブロックを含み、前記引っ張り力軸の右側にはラチェットギヤブロックが設置され、前記ラチェットギヤ溝が前記ラチェットギヤブロックの中に位置しており、前記ラチェットギヤが前記ラチェットギヤ溝の中に位置しており、前記ラチェットギヤ溝の上端壁の中には弾性溝が設置され、前記弾性溝の上端壁には弾性ばねが固定され、前記弾性ばねの下端には弾性ブロックが固定され、前記ラチェットギヤブロックの右側には前記円溝の後端壁と固定された中空ブロックが設置され、前記中空ブロックの中には左端壁が前記円溝に連通している片方向溝が設置され、前記片方向溝の端壁の中には四つの円弧溝が環状的に配列されるように設置され、前記円弧溝の後端壁には弧状ばねが固定され、前記弧状ばねの前端には前記円弧溝とスライドできるように連結された弧状ブロックが固定され、前記弧状ブロックの内端が前記円弧溝の内端壁を貫通しており、且つ前記片方向溝の中に位置しており、前記ラチェットギヤブロックの右端面には右端が前記片方向溝を貫通している固定ロッドが固定され、前記固定ブロックにはリミットブロックが固定され、前記リミットブロックの中にはリミット溝が設置され、前記リミット溝の左端壁には右端が前記片方向溝の中に位置しているリミット軸が回転できるように連結され、前記リミット軸と前記リミット溝との間にはリミットばねが設置され、前記リミット軸の右端には反転ブロックが固定され、前記固定ロッドの右端には金属ブロックが固定され、前記金属ブロックの外端面には四つの絶縁ブロックが環状的に配列されるように固定され、前記円溝の後端壁には前記バッテリパックが固定され、前記バッテリパックの左端面には前記弾性スペーサーが固定され、前記金属ブロックの下側には前記円溝の後端壁と固定された電気伝導ブロックが設置され、前記円台座の前端面にはライト板が固定され、前記ライト板が前記電気伝導ブロックと電線により連通されていることを特徴とする請求項１に記載の角度を調節できる自撮り光補充ライト。  
【発明の詳細な説明】
【技術分野】
【０００１】
本発明は照明器具分野を取り上げて、具体的には角度を調節できる自撮り光補充ライトである。
【背景技術】
【０００２】
自撮り光補充ライトは明かりが強くない環境で自撮りをする時、明るさを調節して更に良い撮影効果を得るための照明器具であり、しかし現有の自撮り光補充ライトの角度の調節は大体装着する前に調節するので、必要とする角度の調節はそれほど正しくなく、又は取り外して調節することを繰り返す必要があり、且つ調節がそれほど細かくなく、生じた光と影の効果がよくない。
【先行技術文献】
【特許文献】
【０００３】
【特許文献１】中国特許出願公開第105276471号明細書
【発明の概要】
【発明が解決しようとする課題】
【０００４】
本発明は角度を調節できる自撮り光補充ライトを提供し、上記背景技術において提出された問題を解決することを目的とする。
【課題を解決するための手段】
【０００５】
上記の目的を実現するために、本発明は以下の技術プランを提供する：角度を調節できる自撮り光補充ライトは、円台座を含み、前記円台座の中には円溝が設置され、前記円溝の中には粗調整機構が設置され、前記粗調整機構は前記円台座を連動させて回転させることができる粗調整プルリングを含み、前記粗調整機構はまた微調整ギヤを含み、前記粗調整機構の下側には微調整機構が設置され、前記微調整機構は微調整プルリングとセクタギヤとを含み、前記微調整プルリングが引き動かされる時に前記セクタギヤを連動させて回転させることができ、これにより前記セクタギヤが前記微調整ギヤと噛み合うまで回転し、これにより前記微調整ギヤを連動させて回転させ、前記微調整機構はまたラチェットギヤを含み、前記微調整機構の右側にはライトのスイッチ機構が設置され、前記ライトのスイッチ機構は弾性ブロックと、バッテリパックと、ライト板とを含み、前記バッテリパックが前記ライト板を発光させることができ、前記弾性ブロックは前記ラチェットギヤが片方向へ回転する時だけ連動されることができ、前記ライトのスイッチ機構はまた弾性スペーサーと、絶縁ブロックと、金属ブロックとを含み、前記弾性スペーサーと前記絶縁ブロックとの間が絶縁であり、前記金属ブロックと前記弾性スペーサーとの間は電気を伝導でき、前記弾性スペーサーは圧縮状態にある。
【０００６】
好ましくは、前記粗調整機構は支持ブロックを含み、前記円台座の下側には底板が設置され、前記底板の下端面には二つの挟み取りブロックが左右対称的に固定され、前記底板の上端面には二つの支持ブロックが左右対称的に固定され、前記支持ブロックの中には回転溝が設置され、二つの前記回転溝の端壁の間には一つの回転軸が回転できるように連結され、前記回転軸と前記回転溝との間には回転ばねが設置され、外部空間の中の前記回転軸には円台座が固定され、前記円台座の中には円溝が設置され、前記円溝の下端壁の中には前記円溝と外部空間とを連通している引きひも溝が設置され、前記円溝の中の前記回転軸には大リールが固定され、前記大リールには下端が外部空間に位置している粗糸が巻きついており、外部空間の中の前記粗糸の下端には三つの粗調整プルリングが均一的に固定され、前記大リールの右側には前記回転軸と固定された微調整ギヤが設置されている。
【０００７】
好ましくは、前記微調整機構は小リールを含み、前記円溝の中の前記回転軸の下側には前記円溝の後端壁と固定された定位ブロックが設置され、前記定位ブロックの中には引っ張り力溝が設置され、前記引っ張り力溝の左端壁には右端が前記引っ張り力溝の右端壁を貫通している引っ張り力軸が回転できるように連結され、前記引っ張り力軸と前記引っ張り力溝との間には引っ張り力ばねが設置され、前記円溝の中の前記引っ張り力軸には小リールが固定され、前記小リールには細ひもが巻きついており、前記引きひも溝の右端壁の中には前記円溝と外部空間とを連通している鉛直溝が設置され、前記細ひもの下端が前記鉛直溝を貫通しており、且つ外部空間に位置しており、前記細ひもの下端には三つの微調整プルリングが均一的に固定され、前記小リールの右側には前記引っ張り力軸と固定された前記セクタギヤが設置され、前記引っ張り力軸の右端には前記ラチェットギヤが固定されている。
【０００８】
好ましくは、前記ライトのスイッチ機構が弾性ブロックを含み、前記引っ張り力軸の右側にはラチェットギヤブロックが設置され、前記ラチェットギヤ溝が前記ラチェットギヤブロックの中に位置しており、前記ラチェットギヤが前記ラチェットギヤ溝の中に位置しており、前記ラチェットギヤ溝の上端壁の中には弾性溝が設置され、前記弾性溝の上端壁には弾性ばねが固定され、前記弾性ばねの下端には弾性ブロックが固定され、前記ラチェットギヤブロックの右側には前記円溝の後端壁と固定された中空ブロックが設置され、前記中空ブロックの中には左端壁が前記円溝に連通している片方向溝が設置され、前記片方向溝の端壁の中には四つの円弧溝が環状的に配列されるように設置され、前記円弧溝の後端壁には弧状ばねが固定され、前記弧状ばねの前端には前記円弧溝とスライドできるように連結された弧状ブロックが固定され、前記弧状ブロックの内端が前記円弧溝の内端壁を貫通しており、且つ前記片方向溝の中に位置しており、前記ラチェットギヤブロックの右端面には右端が前記片方向溝を貫通している固定ロッドが固定され、前記固定ブロックにはリミットブロックが固定され、前記リミットブロックの中にはリミット溝が設置され、前記リミット溝の左端壁には右端が前記片方向溝の中に位置しているリミット軸が回転できるように連結され、前記リミット軸と前記リミット溝との間にはリミットばねが設置され、前記リミット軸の右端には反転ブロックが固定され、前記固定ロッドの右端には金属ブロックが固定され、前記金属ブロックの外端面には四つの絶縁ブロックが環状的に配列されるように固定され、前記円溝の後端壁には前記バッテリパックが固定され、前記バッテリパックの左端面には前記弾性スペーサーが固定され、前記金属ブロックの下側には前記円溝の後端壁と固定された電気伝導ブロックが設置され、前記円台座の前端面にはライト板が固定され、前記ライト板が前記電気伝導ブロックと電線により連通されている。
【発明の効果】
【０００９】
以上のように、本発明の有益効果は：本装置は操作が簡単で便利であり、ライトの角度を調節する時に大幅な調節と小幅な調節という二つの効能を有し、もっと使用者の要求を満たし、もっと正確なライト効果を得られ、且つ装置が直接各種の写真を撮る設備に装着されることができ、体積が小さく、携帯が便利であり、ライトの開閉が一つの指で制御し、ひどい環境に出会っても機動的に使用でき、各種の環境に対応できる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の角度を調節できる自撮り光補充ライトの全体全断面の正面構成模式図
【図２】図２は本発明の角度を調節できる自撮り光補充ライトの中のラチェットギヤの拡大構成模式図
【図３】図３は本発明の角度を調節できる自撮り光補充ライトの中の円台座の右側面断面の構成模式図
【図４】図４は本発明の角度を調節できる自撮り光補充ライトの中の中空ブロックの左側面断面の構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の提供する実施例は：角度を調節できる自撮り光補充ライトは、円台座２０を含み、前記円台座２０の中には円溝２２が設置され、前記円溝２２の中には粗調整機構７０が設置され、前記粗調整機構７０は前記円台座２０を連動させて回転させることができる粗調整プルリング３５を含み、前記粗調整機構７０はまた微調整ギヤ２５を含み、前記粗調整機構７０の下側には微調整機構７１が設置され、前記微調整機構７１は微調整プルリング３４とセクタギヤ２４とを含み、前記微調整プルリング３４が引き動かされる時に前記セクタギヤ２４を連動させて回転させることができ、これにより前記セクタギヤ２４が前記微調整ギヤ２５と噛み合うまで回転し、これにより前記微調整ギヤ２５を連動させて回転させ、前記微調整機構７１はまたラチェットギヤ２６を含み、前記微調整機構７１の右側にはライトのスイッチ機構７２が設置され、前記ライトのスイッチ機構７２は弾性ブロック４０と、バッテリパック４８と、ライト板６０とを含み、前記バッテリパック４８が前記ライト板６０を発光させることができ、前記弾性ブロック４０は前記ラチェットギヤ２６が片方向へ回転する時だけ連動されることができ、前記ライトのスイッチ機構７２はまた弾性スペーサー４７と、絶縁ブロック５０と、金属ブロック４９とを含み、前記弾性スペーサー４７と前記絶縁ブロック５０との間が絶縁であり、前記金属ブロック４９と前記弾性スペーサー４７との間は電気を伝導でき、前記弾性スペーサー４７は圧縮状態にある。  
【００１４】
有益的には、前記粗調整機構７０は支持ブロック３１を含み、前記円台座２０の下側には底板１１が設置され、前記底板１１の下端面には二つの挟み取りブロック１０が左右対称的に固定され、前記底板１１の上端面には二つの支持ブロック３１が左右対称的に固定され、前記支持ブロック３１の中には回転溝２８が設置され、二つの前記回転溝２８の端壁の間には一つの回転軸２７が回転できるように連結され、前記回転軸２７と前記回転溝２８との間には回転ばね３０が設置され、外部空間の中の前記回転軸２７には円台座２０が固定され、前記円台座２０の中には円溝２２が設置され、前記円溝２２の下端壁の中には前記円溝２２と外部空間とを連通している引きひも溝１３が設置され、前記円溝２２の中の前記回転軸２７には大リール２１が固定され、前記大リール２１には下端が外部空間に位置している粗糸１２が巻きついており、外部空間の中の前記粗糸１２の下端には三つの粗調整プルリング３５が均一的に固定され、前記大リール２１の右側には前記回転軸２７と固定された微調整ギヤ２５が設置されている。
【００１５】
有益的には、前記微調整機構７１は小リール２３を含み、前記円溝２２の中の前記回転軸２７の下側には前記円溝２２の後端壁と固定された定位ブロック１４が設置され、前記定位ブロック１４の中には引っ張り力溝１６が設置され、前記引っ張り力溝１６の左端壁には右端が前記引っ張り力溝１６の右端壁を貫通している引っ張り力軸１８が回転できるように連結され、前記引っ張り力軸１８と前記引っ張り力溝１６との間には引っ張り力ばね１７が設置され、前記円溝２２の中の前記引っ張り力軸１８には小リール２３が固定され、前記小リール２３には細ひも３３が巻きついており、前記引きひも溝１３の右端壁の中には前記円溝２２と外部空間とを連通している鉛直溝３２が設置され、前記細ひも３３の下端が前記鉛直溝３２を貫通しており、且つ外部空間に位置しており、前記細ひも３３の下端には三つの微調整プルリング３４が均一的に固定され、前記小リール２３の右側には前記引っ張り力軸１８と固定された前記セクタギヤ２４が設置され、前記引っ張り力軸１８の右端には前記ラチェットギヤ２６が固定されている。
【００１６】
有益的には、前記ライトのスイッチ機構７２が弾性ブロック４０を含み、前記引っ張り力軸１８の右側にはラチェットギヤブロック３６が設置され、前記ラチェットギヤ溝５８が前記ラチェットギヤブロック３６の中に位置しており、前記ラチェットギヤ２６が前記ラチェットギヤ溝５８の中に位置しており、前記ラチェットギヤ溝５８の上端壁の中には弾性溝４２が設置され、前記弾性溝４２の上端壁には弾性ばね４１が固定され、前記弾性ばね４１の下端には弾性ブロック４０が固定され、前記ラチェットギヤブロック３６の右側には前記円溝２２の後端壁と固定された中空ブロック５３が設置され、前記中空ブロック５３の中には左端壁が前記円溝２２に連通している片方向溝４６が設置され、前記片方向溝４６の端壁の中には四つの円弧溝５４が環状的に配列されるように設置され、前記円弧溝５４の後端壁には弧状ばね６１が固定され、前記弧状ばね６１の前端には前記円弧溝５４とスライドできるように連結された弧状ブロック５５が固定され、前記弧状ブロック５５の内端が前記円弧溝５４の内端壁を貫通しており、且つ前記片方向溝４６の中に位置しており、前記ラチェットギヤブロック３６の右端面には右端が前記片方向溝４６を貫通している固定ロッド５６が固定され、前記固定ブロック５６にはリミットブロック１５が固定され、前記リミットブロック１５の中にはリミット溝４３が設置され、前記リミット溝４３の左端壁には右端が前記片方向溝４６の中に位置しているリミット軸５７が回転できるように連結され、前記リミット軸５７と前記リミット溝４３との間にはリミットばね４４が設置され、前記リミット軸５７の右端には反転ブロック４５が固定され、前記固定ロッド５６の右端には金属ブロック４９が固定され、前記金属ブロック４９の外端面には四つの絶縁ブロック５０が環状的に配列されるように固定され、前記円溝２２の後端壁には前記バッテリパック４８が固定され、前記バッテリパック４８の左端面には前記弾性スペーサー４７が固定され、前記金属ブロック４９の下側には前記円溝２２の後端壁と固定された電気伝導ブロック５１が設置され、前記円台座２０の前端面にはライト板６０が固定され、前記ライト板６０が前記電気伝導ブロック５１と電線５２により連通されている。  
【００１７】
以下、出願人は付図１〜４及び上記の本出願の角度を調節できる自撮り光補充ライトの具体的な構成を参照して本出願の角度を調節できる自撮り光補充ライトの使用方法を詳しく紹介する：
【００１８】
人差し指で前記微調整プルリング３４を一番底まで引き、前記細ひも３３を引き動かして下方へ運動させ、前記小リール２３を連動させて回転させ、これにより前記引っ張り力軸１８を連動させて回転させ、これにより前記ラチェットギヤ２６を連動させて回転させ、前記ラチェットギヤ２６が前記弾性ブロック４０を推し動かして回転させ、これにより前記ラチェットギヤブロック３６を連動させて回転させ、前記ラチェットギヤブロック３６が前記固定ロッド５６を連動させて回転させ、これにより前記リミットブロック１５を連動させて回転させ、前記リミットブロック１５が前記反転ブロック４５を連動させて回転させ、これにより前記弧状ブロック５５を推し動かして運動させ、前記弧状ばね６１が圧縮され、前記固定ロッド５６が前記金属ブロック４９を連動させて運動させ、これにより前記絶縁ブロック５０を連動させて前記弧状ブロック５５が運動できないまで回転させ、前記反転ブロック４５が回転し、これにより前記反転ブロック４５が前記弧状ブロック５５の阻みから離脱し、前記弾性スペーサー４７が復帰して前記金属ブロック４９と接触し、前記バッテリパック４８が前記金属ブロック４９を通電させ、前記電線５２の伝導により、前記ライト板６０が通電して発光でき、この時、微調整引きリンク３４を放して自撮りを行い、まず中指で前記粗調整引きリンク３５を引き動かし、これにより前記粗糸１２を連動させて下降させ、これにより前記大リール２１が回転し、前記大リール２１が前記円台座２０を連動させて回転させ、前記回転ばね３０が圧縮される。  
【００１９】
最初は必要とするライトの角度より少し小さい角度まで調節し、中指を動かないように保持し、人差し指で前記微調整引きリンク３４を下方へ引き動かし、これにより前記セクタギヤ２４を連動させて回転させ、前記セクタギヤ２４が前記微調整ギヤ２５と噛み合うまで回転し、これにより前記回転軸２７を連動させて小幅な回転を行わせ、これにより前記円台座２０の角度を微調整し、もし前記セクタギヤ２４の測定範囲が足りないと前記ライト板６０が閉じられる。
【００２０】
本発明の有益効果は：本装置は操作が簡単で便利であり、ライトの角度を調節する時に大幅な調節と小幅な調節という二つの効能を有し、もっと使用者の要求を満たし、もっと正確なライト効果を得られ、且つ装置が直接各種の写真を撮る設備に装着されることができ、体積が小さく、携帯が便利であり、ライトの開閉が一つの指で制御し、ひどい環境に出会っても機動的に使用でき、各種の環境に対応できる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177900.tif 000003
【図２】
2020177900.tif 000004
【図３】
2020177900.tif 000005
【図４】
2020177900.tif 000006